(57)【要約】【課題】ユーザーによる印刷条件の設定し忘れに起因した印刷ミスを抑制することができる印刷装置及び印刷方法を提供する。【解決手段】印刷装置に設けられるコンピューター６０は、印刷条件の初期値を記憶する初期値記憶部７４と、印刷条件の設定操作がなされた場合には該印刷条件に基づきプリンター部２０を制御する一方、印刷条件の設定操作がなされない場合には初期値記憶部７４に記憶される印刷条件の初期値に基づきプリンター部２０を制御する駆動制御部８３と、印刷条件の初期値を変更するか否かの判定に用いられる判定情報を取得し、該取得した判定情報が設定条件を満たすか否かを判定する情報取得部７９と、判定情報が設定条件を満たすと判定された場合に、初期値記憶部７４に記憶される印刷条件の初期値を設定条件に対応する印刷条件に変更する初期値変更部８０と、を有する。【選択図】図３
2012131107.tif 000002
【特許請求の範囲】
【請求項１】
媒体に対して印刷を施すべく駆動する印刷駆動部と、該印刷駆動部を制御する印刷制御部とを備えた印刷装置において、
前記印刷制御部は、
印刷条件の初期値を記憶する初期値記憶手段と、
印刷条件の設定操作がなされた場合には該印刷条件に基づき前記印刷駆動部を制御する一方、印刷条件の設定操作がなされない場合には前記初期値記憶手段に記憶される印刷条件の初期値に基づき前記印刷駆動部を制御する印刷制御手段と、
印刷条件の初期値を変更するか否かの判定に用いられる判定情報を取得する情報取得手段と、
前記情報取得手段によって取得された判定情報が設定条件を満たすか否かを判定する判定手段と、
前記判定手段によって、前記情報取得手段によって取得された判定情報が設定条件を満たすと判定された場合に、前記初期値記憶手段に記憶される印刷条件の初期値を、前記設定条件に対応する印刷条件に変更する初期値変更手段と、を有することを特徴とする印刷装置。
【請求項２】
前記情報取得手段は、判定情報として時期を取得する時期取得手段を含み、
前記判定手段は、前記時期取得手段によって取得された時期が時期条件を満たすか否かを判定し、
前記初期値変更手段は、
前記判定手段によって、前記時期取得手段によって取得された時期が時期条件を満たすと判定された場合に、当該時期条件に対応する印刷条件に、前記初期値記憶手段に記憶される印刷条件の初期値を変更することを特徴とする請求項１に記載の印刷装置。
【請求項３】
前記情報取得手段は、前記印刷装置で使用する言語が表す地域情報を取得する地域情報取得手段を含み、
前記判定手段は、前記時期取得手段及び前記地域情報取得手段によって取得された時期及び地域情報が時期条件を満たすか否かを判定し、
前記初期値変更手段は、
前記判定手段によって、前記時期取得手段及び前記地域情報取得手段によって取得された時期及び地域情報が時期条件を満たすと判定された場合に、当該時期条件に対応する印刷条件に、前記初期値記憶手段に記憶される印刷条件の初期値を変更することを特徴とする請求項２に記載の印刷装置。
【請求項４】
前記印刷制御部は、前記判定手段によって、前記時期取得手段によって取得された時期が時期条件を満たすと判定された場合に、取得された時期を報知する報知処理を行う報知制御手段をさらに有し、
前記初期値変更手段は、前記報知処理によって報知された時期のうち、選択された時期が満たす時期条件に対応する印刷条件に、前記初期値記憶手段に記憶される印刷条件の初期値を変更することを特徴とする請求項２又は請求項３に記載の印刷装置。
【請求項５】
前記情報取得手段は、前記判定情報として、設定操作された印刷条件とその設定回数とを関連付けて管理する回数管理手段を含み、
前記判定手段は、前記回数管理手段によって管理される印刷条件の設定回数が最も多いという回数条件を満たすか否かを判定し、
前記初期値変更手段は、前記判定手段によって、前記回数管理手段によって管理される設定回数が回数条件を満たすと判定された場合に、当該回数条件に対応する印刷条件に、前記初期値記憶手段に記憶される印刷条件の初期値を変更することを特徴とする請求項１に記載の印刷装置。
【請求項６】
前記回数条件は、前記回数管理手段によって管理される設定回数が予め設定された回数基準値以上であって且つ設定回数が最も多いという条件であることを特徴とする請求項５に記載の印刷装置。
【請求項７】
前記情報取得手段は、時期を取得する時期取得手段を含み、
前記判定手段は、前記時期取得手段によって取得された時期が時期条件を満たすか否かを判定し、
前記初期値変更手段は、
前記判定手段によって、前記時期取得手段によって取得された時期が時期条件を満たすと判定された場合には、
前記時期条件に対応する印刷条件に、前記初期値記憶手段に記憶される印刷条件の初期値を変更することを特徴とする請求項５又は請求項６に記載の印刷装置。
【請求項８】
前記印刷条件は、印刷される媒体のサイズ、媒体の種類、縁あり印刷か縁なし印刷か、印刷品質及び印刷時の色彩のうち少なくとも一つを含むことを特徴とする請求項１〜請求項７のうち何れか一項に記載の印刷装置。
【請求項９】
前記印刷制御部は、
前記印刷装置に設けられた表示装置を制御する表示制御手段と、
前記初期値記憶手段に記憶される印刷条件の初期値から印刷条件を変更するためであって且つ互いに表示態様の異なる第１画面及び第２画面を前記表示装置に表示させるための第１のデータ及び第２のデータを記憶する画面記憶手段と、さらに有し、
前記表示制御手段は、前記第１のデータ及び第２のデータのうち、選択された画面に対応するデータを前記画面記憶手段から取得し、該取得したデータに基づいた画面を前記表示装置に表示させることを特徴とする請求項１〜請求項８のうち何れか一項に記載の印刷装置。
【請求項１０】
前記印刷制御部は、
前記印刷装置を使用するユーザーを識別する識別手段と、
ユーザー毎の印刷条件を管理する識別管理手段と、をさらに有し、
前記初期値変更手段は、
前記識別手段によって識別されたユーザー用の印刷条件を前記識別管理手段から取得し、該取得した印刷条件に、前記初期値記憶手段に記憶される印刷条件の初期値を変更することを特徴とする請求項５〜請求項７のうち何れか一項に記載の印刷装置。
【請求項１１】
前記識別手段は、
前記印刷装置に通信可能に接続されたホスト装置から受信した情報に基づき、前記印刷装置を使用するユーザーを識別し、
該識別したユーザー用の印刷条件を前記識別管理手段から取得し、該取得した印刷条件と前記ホスト装置から受信した情報に含まれる印刷条件とが異なる場合には、印刷条件の選択を促す旨の制御指令を前記ホスト装置に送信し、
前記印刷制御手段は、
前記識別手段から前記ホスト装置に制御指令が送信された場合には、
前記ホスト装置から受信した印刷条件及び前記識別管理手段によって管理される印刷条件のうち、前記制御指令の返答として受信した情報に基づいた印刷条件を選択し、
該選択した印刷条件に基づき前記印刷駆動部を制御することを特徴とする請求項１０に記載の印刷装置。
【請求項１２】
印刷条件の設定操作がなされた場合には該印刷条件に基づき媒体に対して印刷処理を施す一方、印刷条件の設定操作がなされない場合には初期値記憶手段に記憶される印刷条件の初期値に基づき前記印刷処理を施す印刷ステップと、
印刷条件の初期値を変更するか否かの判定情報を取得させる情報取得ステップと、
前記情報取得ステップで取得した判定情報が設定条件を満たすか否かを判定させる判定ステップと、
前記判定ステップで、前記情報取得ステップで取得した判定情報が設定条件を満たすと判定した場合に、前記初期値記憶手段に記憶される印刷条件の初期値を、前記設定条件に対応する印刷条件に変更させる初期値変更ステップと、を有することを特徴とする印刷方法。
【発明の詳細な説明】
【技術分野】
【０００１】
本発明は、媒体に対して印刷を施す印刷装置及び印刷方法に関する。
【背景技術】
【０００２】
従来、印刷装置を備えるシステムとして、例えば特許文献１に記載のシステムが提案されている。この特許文献１には、ユーザーからのヘルプ要求に対して、現在のシステムの状態だけではなく、過去のシステムの状態の履歴をも利用してディスプレイに表示させるヘルプメッセージを決定する旨が記載されている。
【０００３】
ところで、印刷装置の一例としてのプリンターには、印刷する用紙（媒体）のサイズ及び種類などの印刷条件の初期値が予め設定されている。そのため、ユーザーによって印刷条件が設定されない状態で印刷指令がプリンターの制御装置に入力された場合には、予め設定された印刷条件の初期値に基づき、用紙に対して印刷が施されるようになっている。
【先行技術文献】
【特許文献】
【０００４】
【特許文献１】特開平２−２１６５１６号公報
【発明の概要】
【発明が解決しようとする課題】
【０００５】
一般的に、印刷条件の初期値として、用紙サイズはＡ４サイズに、用紙の種類は普通紙に設定されている。この状態で、例えば葉書に印刷を施す場合には、印刷条件のうち用紙サイズを葉書サイズに設定する必要がある。しかしながら、印刷条件を変更し忘れた場合には、印刷条件の初期値に基づいた印刷が行われる。この場合、ユーザーが所望する状態で用紙に印刷が施されないため、用紙が無駄となってしまう。
【０００６】
本発明は、上記問題点に鑑みてなされたものであり、その目的は、ユーザーによる印刷条件の設定し忘れに起因した印刷ミスを抑制することができる印刷装置及び印刷方法を提供することにある。
【課題を解決するための手段】
【０００７】
上記目的を達成するために、本発明は、媒体に対して印刷を施すべく駆動する印刷駆動部と、該印刷駆動部を制御する印刷制御部とを備えた印刷装置において、前記印刷制御部は、印刷条件の初期値を記憶する初期値記憶手段と、印刷条件の設定操作がなされた場合には該印刷条件に基づき前記印刷駆動部を制御する一方、印刷条件の設定操作がなされない場合には前記初期値記憶手段に記憶される印刷条件の初期値に基づき前記印刷駆動部を制御する印刷制御手段と、印刷条件の初期値を変更するか否かの判定に用いられる判定情報を取得する情報取得手段と、前記情報取得手段によって取得された判定情報が設定条件を満たすか否かを判定する判定手段と、前記判定手段によって、前記情報取得手段によって取得された判定情報が設定条件を満たすと判定された場合に、前記初期値記憶手段に記憶される印刷条件の初期値を、前記設定条件に対応する印刷条件に変更する初期値変更手段と、を有する。
【０００８】
上記構成によれば、印刷条件の初期値を変更するか否かの判定に用いられる判定情報が取得されると、該判定情報が設定条件を満たすか否かが判定される。そして、判定情報が設定条件を満たすと判定された場合には、印刷条件の初期値が、設定条件に対応する印刷条件に変更される。そのため、印刷を行う前にユーザーが印刷条件を変更しない場合であっても、設定条件に対応する印刷条件に基づき印刷が行われる。したがって、ユーザーによる印刷条件の設定し忘れに起因した印刷ミスを抑制することができる。
【０００９】
本発明の印刷装置において、前記情報取得手段は、判定情報として時期を取得する時期取得手段を含み、前記判定手段は、前記時期取得手段によって取得された時期が時期条件を満たすか否かを判定し、前記初期値変更手段は、前記判定手段によって、前記時期取得手段によって取得された時期が時期条件を満たすと判定された場合に、当該時期条件に対応する印刷条件に、前記初期値記憶手段に記憶される印刷条件の初期値を変更する。
【００１０】
上記構成によれば、印刷条件の初期値は、取得された時期特有の印刷条件に変更される。そのため、印刷条件を時期特有の印刷条件として印刷を行う予定であるユーザーが印刷条件を変更し忘れた場合であっても、印刷条件の設定し忘れに起因した印刷ミスを抑制することができる。
【００１１】
本発明の印刷装置において、前記情報取得手段は、前記印刷装置で使用する言語が表す地域情報を取得する地域情報取得手段を含み、前記判定手段は、前記時期取得手段及び前記地域情報取得手段によって取得された時期及び地域情報が時期条件を満たすか否かを判定し、前記初期値変更手段は、前記判定手段によって、前記時期取得手段及び前記地域情報取得手段によって取得された時期及び地域情報が時期条件を満たすと判定された場合に、当該時期条件に対応する印刷条件に、前記初期値記憶手段に記憶される印刷条件の初期値を変更する。
【００１２】
時期特有の印刷条件は、印刷装置が使用される地域の生活習慣の関係上、地域毎に異なる可能性がある。そこで、本発明では、地域情報取得手段によって取得される地域情報が示す言語に基づき、印刷装置が使用される地域が特定される。そして、印刷条件の初期値は、取得された時期及び地域情報に特有の印刷条件に変更される。そのため、印刷条件を時期特有の印刷条件として印刷を行う予定であるユーザーが印刷条件を変更し忘れた場合であっても、印刷条件の設定し忘れに起因した印刷ミスを抑制することができる。
【００１３】
本発明の印刷装置において、前記印刷制御部は、前記判定手段によって、前記時期取得手段によって取得された時期が時期条件を満たすと判定された場合に、取得された時期を報知する報知処理を行う報知制御手段をさらに有し、前記初期値変更手段は、前記報知処理によって報知された時期のうち、選択された時期が満たす時期条件に対応する印刷条件に、前記初期値記憶手段に記憶される印刷条件の初期値を変更する。
【００１４】
上記構成によれば、印刷条件の初期値を時期特有の印刷条件に変更可能な場合には、その旨をユーザーに報知させる。こうした報知の結果、ユーザーによって選択された時期に特有の印刷条件が、印刷条件の初期値とされる。すなわち、印刷条件の初期値は、ユーザーの意図に沿った条件とされる。そのため、ユーザーは、時期を選択するだけで、印刷条件を設定することなく時期特有の印刷条件で印刷を印刷装置に行わせることができる。
【００１５】
本発明の印刷装置において、前記情報取得手段は、前記判定情報として、設定操作された印刷条件とその設定回数とを関連付けて管理する回数管理手段を含み、前記判定手段は、前記回数管理手段によって管理される印刷条件の設定回数が最も多いという回数条件を満たすか否かを判定し、前記初期値変更手段は、前記判定手段によって、前記回数管理手段によって管理される設定回数が回数条件を満たすと判定された場合に、当該回数条件に対応する印刷条件に、前記初期値記憶手段に記憶される印刷条件の初期値を変更する。
【００１６】
上記構成によれば、ユーザーによって印刷条件が設定された場合には、その履歴が回数管理手段によって保管される。すなわち、回数管理手段は、印刷条件の設定回数を、印刷条件毎に管理している。そして、印刷条件の初期値は、管理される各印刷条件のうち回数条件を満たした印刷条件に変更される。つまり、印刷条件の初期値は、ユーザーによる印刷条件の過去の設定履歴に基づいた条件とされる。そのため、印刷前に印刷条件を設定しなくても、ユーザーの意図に沿った印刷条件で印刷が行われる確率が高くなる。したがって、ユーザーによる印刷条件の設定し忘れに起因した印刷ミスを抑制することができる。
【００１７】
本発明の印刷装置において、前記回数条件は、前記回数管理手段によって管理される設定回数が予め設定された回数基準値以上であって且つ設定回数が最も多いという条件である。
【００１８】
上記構成によれば、回数基準値以上の設定回数の印刷条件がある場合には、該印刷条件に、印刷条件の初期値が変更される。ここで、回数基準値を、ユーザーによる印刷条件の設定の傾向を適切に把握するために設定された値とした場合には、ユーザーの意図に反して、印刷条件の初期値が不用意に変更されることを回避することができる。
【００１９】
本発明の印刷装置において、前記情報取得手段は、時期を取得する時期取得手段を含み、前記判定手段は、前記時期取得手段によって取得された時期が時期条件を満たすか否かを判定し、前記初期値変更手段は、前記判定手段によって、前記時期取得手段によって取得された時期が時期条件を満たすと判定された場合には、前記時期条件に対応する印刷条件に、前記初期値記憶手段に記憶される印刷条件の初期値を変更する。
【００２０】
上記構成によれば、時期特有の印刷条件に印刷条件の初期値を変更可能な場合には、回数条件を満たす印刷条件が前記回数管理手段で管理されているか否かに関係なく、印刷条件の初期値が時期特有の印刷条件に変更される。これは、時期特有の印刷条件とは、その時期で最も利用される可能性の高い印刷装置の使い方に対応した条件であるためである。すなわち、ユーザーは、印刷条件を、時期特有の印刷条件に変更する手間を省くことができる。そのため、ユーザーによる印刷条件の設定し忘れに起因した印刷ミスを抑制することができる。
【００２１】
本発明の印刷装置において、前記印刷条件は、印刷される媒体のサイズ、媒体の種類、縁あり印刷か縁なし印刷か、印刷品質及び印刷時の色彩のうち少なくとも一つを含む。
印刷される媒体のサイズ、媒体の種類、縁あり印刷か縁なし印刷か、印刷品質及び印刷時の色彩は、印刷を行う際に必要な印刷条件である。そこで、本発明では、印刷される媒体のサイズ、媒体の種類、縁あり印刷か縁なし印刷か、印刷品質及び印刷時の色彩のうち少なくとも一つの印刷条件が、設定条件に対応する印刷条件とされる。
【００２２】
本発明の印刷装置において、前記印刷制御部は、前記印刷装置に設けられた表示装置を制御する表示制御手段と、前記初期値記憶手段に記憶される印刷条件の初期値から印刷条件を変更するためであって且つ互いに表示態様の異なる第１画面及び第２画面を前記表示装置に表示させるための第１のデータ及び第２のデータを記憶する画面記憶手段と、さらに有し、前記表示制御手段は、前記第１のデータ及び第２のデータのうち、選択された画面に対応するデータを前記画面記憶手段から取得し、該取得したデータに基づいた画面を前記表示装置に表示させる。
【００２３】
上記構成によれば、印刷条件を設定するための画面は複数用意されており、何れの画面を表示装置に表示させるかは、ユーザーによって選択される。そのため、ユーザーは、自身で選択した画面を視認しつつ印刷条件を設定するができる。
【００２４】
本発明の印刷装置において、前記印刷制御部は、前記印刷装置を使用するユーザーを識別する識別手段と、ユーザー毎の印刷条件を管理する識別管理手段と、をさらに有し、前記初期値変更手段は、前記識別手段によって識別されたユーザー用の印刷条件を前記識別管理手段から取得し、該取得した印刷条件に、前記初期値記憶手段に記憶される印刷条件の初期値を変更する。
【００２５】
上記構成によれば、印刷装置を使用するユーザーを識別できた場合には、印刷条件が、ユーザー特有の条件に設定される。そのため、ユーザーは、印刷装置を利用する度に、印刷条件を自身の用途に合わせて設定しなくてもよい。したがって、ユーザーによる印刷条件の設定し忘れに起因した印刷ミスを抑制することができる。
【００２６】
本発明の印刷装置において、前記識別手段は、前記印刷装置に通信可能に接続されたホスト装置から受信した情報に基づき、前記印刷装置を使用するユーザーを識別し、該識別したユーザー用の印刷条件を前記識別管理手段から取得し、該取得した印刷条件と前記ホスト装置から受信した情報に含まれる印刷条件とが異なる場合には、印刷条件の選択を促す旨の制御指令を前記ホスト装置に送信し、前記印刷制御手段は、前記識別手段から前記ホスト装置に制御指令が送信された場合には、前記ホスト装置から受信した印刷条件及び前記識別管理手段によって管理される印刷条件のうち、前記制御指令の返答として受信した情報に基づいた印刷条件を選択し、該選択した印刷条件に基づき前記印刷駆動部を制御する。
【００２７】
上記構成によれば、ホスト装置から受信した画像データに基づいた印刷を行う場合において、ホスト装置から受信した情報に基づき印刷装置を利用するユーザーを識別できたときには、受信した情報に含まれる印刷条件と識別管理手段で管理するユーザー特有の印刷条件とが比較される。この比較の結果、同一ではない場合には、ホスト装置でユーザーが印刷条件を設定し忘れた、又は設定ミスを起こした可能性があるため、どちらの印刷条件で印刷を行うかの選択を促す旨の制御指令がホスト装置に送信される。そして、ホスト装置での選択結果を受信すると、受信した情報に基づいて印刷条件が選択され、該選択された印刷条件に基づき印刷が行われる。したがって、印刷ミスを減らすことができる。
【００２８】
本発明の印刷方法は、印刷条件の設定操作がなされた場合には該印刷条件に基づき媒体に対して印刷処理を施す一方、印刷条件の設定操作がなされない場合には初期値記憶手段に記憶される印刷条件の初期値に基づき前記印刷処理を施す印刷ステップと、印刷条件の初期値を変更するか否かの判定情報を取得させる情報取得ステップと、前記情報取得ステップで取得した判定情報が設定条件を満たすか否かを判定させる判定ステップと、前記判定ステップで、前記情報取得ステップで取得した判定情報が設定条件を満たすと判定した場合に、前記初期値記憶手段に記憶される印刷条件の初期値を、前記設定条件に対応する印刷条件に変更させる初期値変更ステップと、を有する。
【００２９】
上記構成によれば、上記印刷装置と同等の作用・効果を得ることができる。
【図面の簡単な説明】
【００３０】
【図１】本発明の印刷装置の一実施形態である複合機を示す斜視図。
【図２】複合機の電気的構成を示すブロック図。
【図３】コンピューターの機能構成の要部を示すブロック図。
【図４】（ａ）（ｂ）（ｃ）（ｄ）は表示装置に表示される画面を示す模式図。
【図５】（ａ）（ｂ）は表示装置に表示される画面を示す模式図。
【図６】時期及び仕向け国と印刷条件との対応関係を示すテーブル。
【図７】印刷条件と設定回数との対応関係を示すテーブル。
【図８】初期値設定処理ルーチンを説明するフローチャート。
【図９】印刷処理ルーチンを説明するフローチャート。
【図１０】コンピューターの機能構成の要部を示すブロック図。
【図１１】コンピューターの機能構成の要部を示すブロック図。
【発明を実施するための形態】
【００３１】
以下、本発明を具体化した一実施形態を図１〜図９に基づいて説明する。
図１に示すように、印刷装置の一例としての複合機１１は、媒体の一例としての用紙Ｐに対して印刷を施す印刷機能と、該印刷機能以外の他の機能の一例としての画像読み取り機能とを実行可能である。こうした複合機１１の本体ケース１２の上面は、画像読み取りを行う原稿（図示略）を設置する原稿台１３となっている。また、本体ケース１２には、原稿台１３を覆うことが可能なカバー１４が開閉可能に設けられている。こうした本体ケース１２の下側部分は用紙Ｐに対して印刷を施す印刷駆動部の一例としてのプリンター部２０であると共に、本体ケース１２の上側部分は原稿台１３に設置された原稿の画像読み取りを行うスキャナー部３０となっている。
【００３２】
図１及び図２に示すように、プリンター部２０は、用紙Ｐを本体ケース１２内に給紙する自動給紙装置（ＡＳＦ（Auto Sheet Feeder））２１と、自動給紙装置２１によって本体ケース１２内に給紙された用紙Ｐに対して印刷を施すインク噴射部２２とを備えている。自動給紙装置２１には、本体ケース１２の後面部に配置されると共に印刷前の用紙Ｐがセットされるサポート２１１と、本体ケース１２の前面に配置されると共に該本体ケース１２から排出された用紙Ｐを受け取る排出部２１２とが設けられている。インク噴射部２２には、用紙Ｐに対してインク滴を吐出する記録ヘッド２２１が設けられている。そして、サポート２１１にセットされた用紙Ｐは、自動給紙装置２１によって本体ケース１２内に給紙されると、インク噴射部２２によって印刷が施される。その後、印刷済みとなった用紙Ｐは、自動給紙装置２１によって本体ケース１２内から排出部２１２に排出される。
【００３３】
スキャナー部３０は、原稿台１３にセットされた原稿に光を照射するランプ３１と、原稿の画像を画像データとして取得するＣＣＤ（電荷結合素子）３２と、ＣＣＤ３２を走査（移動）させるためのスキャナー駆動部３３とを備えている。原稿台１３上にセットされた原稿から画像データを取得するための画像読み取り動作（「スキャン動作」ともいう。）時には、ランプ３１から原稿台１３を通して原稿に光が照射され、該原稿からの反射光をＣＣＤ３２にて検出することで原稿の画像が画像データとして読み取られる。そして、読み取られた画像データは制御装置５０（図２参照）に転送される。
【００３４】
本体ケース１２の前面において排出部２１２の側方には、記憶媒体の一例としてのメモリーカードＭＣをセットするためのスロット１５が設けられている。このスロット１５にセットされたメモリーカードＭＣからは、該メモリーカードＭＣに記憶される画像データが制御装置５０に読み取られる。すなわち、本実施形態の複合機１１では、該複合機１１のスロット１５にセットされたメモリーカードＭＣに記憶された画像データに基づいた印刷を、外部装置などを介在させることなく行うことが可能である。
【００３５】
また、本体ケース１２の前面において排出部２１２よりも上側には、複合機１１の駆動条件などを設定する際にユーザーが設定操作する操作パネル４０が設けられている。この操作パネル４０の幅方向中央部には、ディスプレイを有する表示装置４１が設けられている。この表示装置４１には、制御装置５０から指示された情報に基づいた画面が表示される。なお、ディスプレイとしては、例えば、液晶ディスプレイ、有機ＥＬディスプレイ、タッチパネル式のディスプレイが挙げられる。
【００３６】
また、操作パネル４０において表示装置４１の側方には、電源ボタン、印刷／スキャンを開始するスタートボタン及び実行中の動作を中止するストップボタンなどの各種ボタンで構成される操作部４２が設けられている。そして、操作部４２からは、ユーザーによるボタン操作（即ち、入力操作）に応じた情報が制御装置５０に入力される。
【００３７】
次に、本実施形態の複合機１１の電気的構成について図２を参照して説明する。なお、図２では、明細書の説明理解の便宜上、スロット１５の図示を省略している。
図２に示すように、複合機１１の制御装置５０は、コンピューター６０と各種ドライバー回路（図示略）とを備えている。コンピューター６０には、プリンター部２０、スキャナー部３０及び操作パネル４０が、プリンターＩ／Ｆ５１、スキャナーＩ／Ｆ５２及びユーザーＩ／Ｆ５３を介して電気的に接続されている。また、コンピューター６０には、スロット１５にセットされたメモリーカードＭＣがメモリーカードＩ／Ｆ５４を介して電気的に接続されている。
【００３８】
コンピューター６０は、ＣＰＵ６１、ＲＯＭ６２、不揮発性メモリー６３、ＲＡＭ６４、ＡＳＩＣ（（Application Specific ＩＣ（特定用途向けＩＣ））６５、及び図示しないリアルタイムクロックなどで構成されている。ＲＯＭ６２は、各種制御プログラム及び各種データなどを記憶している。不揮発性メモリー６３は、ファームウェアプログラムを始めとする各種プログラム及び印刷処理に必要な各種データなどを記憶している。ＲＡＭ６４は、メモリーカードＭＣから入力された画像データやスキャナー部３０で読み取った画像データなどを記憶するようになっている。
【００３９】
こうしたコンピューター６０は、図示しないドライバー回路を介してプリンター部２０及びスキャナー部３０を制御している。例えば、コンピューター６０を備える制御装置５０は、ＲＡＭ６４に一時記憶される印刷データに基づきプリンター部２０を制御し、用紙Ｐに対して画像を印刷している。したがって、本実施形態では、コンピューター６０が、印刷制御部として機能する。
【００４０】
次に、本実施形態のコンピューター６０について図３を参照して説明する。
図３に示すように、コンピューター６０は、画面記憶部７１、表示制御部７２、条件入力受付部７３、初期値記憶部７４、印刷条件設定部７５、条件記憶部７６、仕向け国管理部７７、時計７８、情報取得部７９、初期値変更部８０、報知制御部８１、画像データ記憶部８２及び駆動制御部８３を備えている。これら各機能部７１〜８３は、ハードウェア及びソフトウェアのうち少なくとも一方により実現されるものである。
【００４１】
画面記憶部７１は、表示装置４１に表示させる各種画面用の画面データを記憶している。画面記憶部７１に記憶される画面データは、複合機１１に実行させる機能を選択させるための画面用のデータ、及び選択された機能の駆動条件（例えば、印刷機能の場合における印刷条件）を設定させるための画面用のデータである。表示制御部７２は、画面記憶部７１から読み出した画面データに基づいた画面を表示装置４１に表示させる。本実施形態では、画面記憶部７１は、通常設定用の画面データ（第１のデータ）と、簡易設定用の画面データ（第２のデータ）とを記憶している。そして、表示制御部７２は、ユーザーによる操作に基づき、通常設定用の画面データ又は簡易設定用の画面データを選択的に読み出し、該読み出した画面データに基づいた画面を表示装置４１に表示させる。
【００４２】
表示制御部７２及び条件入力受付部７３には、ユーザーによる操作部４２の操作内容に応じた情報が入力される。このとき、表示制御部７２は、入力された情報に基づき表示装置４１に表示させる画面を変更する。具体的には、表示制御部７２は、入力された情報に基づいた画面データを画面記憶部７１から読み出し、該読み出した画面データに対応する画面を表示装置４１に表示させる。つまり、表示制御部７２は、複合機１１を駆動させる際に必要な各種条件の設定をユーザーに促している。例えば、用紙Ｐに対して印刷させる場合、表示制御部７２は、印刷に必要な印刷条件の設定をユーザーに促している。したがって、本実施形態では、画面記憶部７１が画面記憶手段として機能すると共に、表示制御部７２が表示制御手段として機能する。なお、印刷条件としては、例えば、用紙サイズ（Ａ４サイズ、葉書サイズなど）、用紙Ｐの種類（普通紙、再生紙など）、縁あり印刷か縁なし印刷か、印刷品質（高詳細モード又はドラフトモード）、印刷時の色彩（カラー又はモノクロ）が挙げられる。
【００４３】
条件入力受付部７３は、ユーザーによる操作部４２の操作によって印刷条件が設定された場合、該設定された印刷条件に関する情報を受け付け、該情報を印刷条件設定部７５及び情報取得部７９に出力する。また、条件入力受付部７３は、ユーザーによる操作部４２の操作によって印刷を開始させる旨が入力された場合、その旨を駆動制御部８３に出力する。
【００４４】
ここで、上記通常設定用の画面データに基づいた第１画面の一例としての画面について図４を参照して説明する。
図４（ａ）に示す画面は、複合機１１で実行可能な各種機能のうち何れか一つの機能を選択させるための機能選択用画面である。表示制御部７２は、各機能のうち例えば印刷機能及び画像読み取り機能の一種である「コピー機能」が選択された場合には、図４（ｂ）に示すように、コピー、即ち印刷を行う際に変更する印刷条件を選択するための画面データを画面記憶部７１から読み出し、該画面データに基づいた画面を表示装置４１に表示させる。この状態で例えば「用紙設定」が選択されると、表示制御部７２は、図４（ｃ）に示すように、用紙サイズを設定するための画面データを画面記憶部７１から読み出し、該画面データに基づいた画面を表示装置４１に表示させる。
【００４５】
そして、例えば用紙サイズがＡ５サイズに設定され、その後、バックが選択されると、表示制御部７２は、図４（ｄ）に示すように、一つ前に表示していた画面（即ち、図４（ｂ）に示す画面）を表示装置４１に表示させる。この状態で印刷時の色彩としてモノクロが設定された後に、印刷がスタートされると、印刷する用紙ＰのサイズをＡ５サイズと設定し、スキャナー部３０で読み取った画像データに基づいた画像が用紙Ｐにモノクロ印刷される。
【００４６】
次に、上記簡易設定用の画面データに基づいた第２画面の一例としての画面について図５を参照して説明する。
図５（ａ）に示す画面は、複合機１１で実行可能な各種機能のうち何れか一つの機能を選択させるための機能選択用画面である。この機能選択用画面は、通常設定用の場合と同一画面である。そして、機能として「コピー機能」が選択されると、表示制御部７２は、図５（ｂ）に示すように、コピー、即ち印刷を行う際に変更する印刷条件を選択するための画面データを画面記憶部７１から読み出し、該画面データに基づいた画面を表示装置４１に表示させる。図５（ｂ）に示す画面は、一回の選択操作で、複数の印刷条件を設定させることが可能である。
【００４７】
そして、例えば、「Ａ４モノクロ１枚」が選択されると、印刷条件に関して、用紙サイズがＡ４サイズとされ、印刷時の色彩がモノクロとされ、印刷枚数が１枚とされる。この状態で、印刷がスタートされると、印刷する用紙ＰのサイズをＡ４サイズと設定し、スキャナー部３０で読み取った画像データに基づいた画像が用紙Ｐにモノクロ印刷される。なお、図５（ｂ）に示す画面の「詳細変更」が選択されると、表示制御部７２は、図６に示す画面を表示装置４１に表示させる。
【００４８】
図３に戻り、初期値記憶部７４は、印刷条件の初期値（「デフォルト値」ともいう。）を記憶している。ユーザーによる印刷条件の設定操作がなされない場合には、初期値記憶部７４に記憶される印刷条件の初期値に基づき印刷が行われる。本実施形態では、用紙サイズの初期値がＡ４サイズに設定されると共に、用紙の種類の初期値が普通紙に設定され、さらに、縁あり印刷又は縁なし印刷の初期値が縁あり印刷に設定されている。また、印刷品質の初期値が高詳細モードに設定されると共に、印刷時の色彩の初期値がカラーに設定されている。したがって、本実施形態では、初期値記憶部７４が、初期値記憶手段として機能する。そして、複合機１１の電源ボタンがオンとなって複合機１１への電力供給が開始されると、初期値記憶部７４に記憶される印刷条件の初期値は、条件記憶部７６にコピーされる。
【００４９】
印刷条件設定部７５は、条件入力受付部７３から入力された情報に基づき、条件記憶部７６に記憶される印刷条件を変更する。例えば、条件記憶部７６に記憶される用紙サイズがＡ４サイズである一方で、ユーザーによる操作部４２の操作によって用紙サイズが葉書サイズに設定された場合、印刷条件設定部７５は、条件記憶部７６に記憶される用紙サイズをＡ４サイズから葉書サイズに変更する。
【００５０】
仕向け国管理部７７は、複合機１１が出荷された出荷地域の一例としての仕向け国（「出荷国」ともいう。）を特定するための国情報を管理している。この仕向け国管理部７７は、情報取得部７９から国情報が要求された場合、管理している国情報を情報取得部７９に出力する。なお、国情報は、複合機１１が出荷される段階で用意された情報である。もちろん、ユーザーに国情報を設定させるようにしてもよい。また、複合機１１に図示しないホスト装置が接続された場合には、仕向け国管理部７７は、ホスト装置から送信されたデータから仕向け国を推定し、該推定した仕向け国を特定するための国情報を管理するようにしてもよい。
【００５１】
さらに、複合機１１は、表示装置４１のディスプレイに表示させる言語をユーザーに設定させるための言語設定機能を有している。そして、仕向け国管理部７７では、言語設定機能によって設定された言語が使用される国を特定し、該国を仕向け国としてもよい。この場合、仕向け国を特定するための国情報は、複合機１１で使用する言語が表す地域情報に相当する。
【００５２】
なお、表示装置４１のディスプレイには、仕向け国管理部７７で管理される国情報が示す仕向け国で使用される言語（例えば、公用語）で文字が表示される。
時計７８は、図示しないリアルタイムクロックを含んだ構成となっている。こうした時計７８は、計時を行っている。そして、時計７８は、情報取得部７９から時刻情報（時期情報）が要求された場合、現時点の時刻を特定するための時刻情報を情報取得部７９に出力する。例えば、時計７８で示される時刻（時期）が「１２月１０日の１０時５分」であった場合、「１２月１０日の１０時５分」を特定するための時刻情報が情報取得部７９に出力される。なお、このとき、時計７８は、「１２月１０日」を特定するための時刻情報を情報取得部７９に出力してもよいし、「１２月」を特定するための時刻情報を情報取得部７９に出力してもよい。
【００５３】
情報取得部７９は、時期・国取得部７９１と、回数管理部７９２とを有している。時期・国取得部７９１には、時期や仕向け国に特有の印刷条件を管理するための時期・国テーブルＴ１（図６参照）が設けられている。こうした時期・国取得部７９１は、複合機１１の電源ボタンがオン操作されたタイミングで、仕向け国管理部７７に対して国情報を要求すると共に、時計７８に対して時刻情報を要求する。そして、時期・国取得部７９１は、要求に対する返答として仕向け国管理部７７から入力された国情報が示す仕向け国（例えば、日本）を取得する。同様に、時期・国取得部７９１は、要求に対する返答として時計７８から入力された時刻情報が示す時刻を取得する。したがって、本実施形態では、時期・国取得部７９１が、複合機１１で使用する言語が表す地域情報として仕向け国を取得する地域情報取得手段、及び現在の時期を取得する時期取得手段として機能する。
【００５４】
また、時期・国取得部７９１は、取得した時期や仕向け国に対応する印刷条件が時期・国テーブルＴ１にあるか否かを判定する。すなわち、仕向け国管理部７７及び時計７８から取得した国情報及び時刻情報が、印刷条件の初期値を変更するか否かを判定するために用いられる判定情報に相当する。そして、時期・国取得部７９１は、取得した時期や仕向け国に対応する印刷条件が時期・国テーブルＴ１にある場合には、該印刷条件を初期値変更部８０に出力する。言い換えると、時期・国取得部７９１は、取得した時期及び仕向け国（判定情報）が、設定条件の一例としての時期条件を満たすか否かを判定し、満たすと判定した場合には印刷条件の初期値の変更を許可する。ここでいう「時期条件」とは、時期・国テーブルＴ１にある印刷条件に対応する時期及び仕向け国のことを示している。例えば、取得した時期及び仕向け国が「１１月」及び「日本」である場合において、１１月の日本に特有の印刷条件が時期・国テーブルＴ１にあるときには、取得された判定条件が時期条件を満たすとされる。したがって、本実施形態では、時期・国取得部７９１を備える情報取得部７９が、判定手段としても機能する。
【００５５】
回数管理部７９２には、条件入力受付部７３から入力される情報、即ちユーザーによって設定された印刷条件に関する情報に基づき更新される回数テーブルＴ２（図７参照）が設けられている。この回数テーブルＴ２は、ユーザーによって設定された設定回数を印刷条件毎に管理している。例えば、ユーザーが印刷品質をドラフトモードに設定した場合、回数テーブルＴ２に記憶される各設定回数のうち、ドラフトモードに対応する設定回数が「１」だけインクリメントされる。したがって、本実施形態では、回数管理部７９２が、ユーザーによって設定操作された印刷条件とその設定回数とを関連付けて管理する回数管理手段として機能する。
【００５６】
また、回数管理部７９２は、各印刷条件のうち、予め設定された回数基準値（例えば１００）以上となる設定回数の印刷条件があるか否かを判定する。すなわち、回数管理部７９２は、回数テーブルＴ２に記憶される各印刷条件の設定回数を判定情報として読み出し（取得し）、設定回数が回数基準値以上となるという回数条件を満たした印刷条件があるか否かを判定する。そして、回数管理部７９２は、回数条件を満たした印刷条件が回数テーブルＴ２にある場合には、該印刷条件を初期値変更部８０に出力する。言い換えると、回数管理部７９２は、設定条件の一例としての回数条件を満たす印刷条件があるか否かを判定し、満たす印刷条件があると判定した場合には印刷条件の初期値の変更を許可する。
【００５７】
なお、例えば用紙サイズに関する印刷条件について、用紙サイズを第１のサイズ（例えばＡ４サイズ）にするという第１印刷条件の設定回数と、用紙サイズを第２のサイズ（例えば葉書サイズ）にするという第２印刷条件の設定回数とが共に回数基準値以上となることがある。この場合、回数管理部７９２は、設定回数が最も多いという回数条件を満たした印刷条件に、印刷条件の初期値が変更されることを許可する。したがって、本実施形態では、回数管理部（回数管理手段）７９２及び時期・国取得部（地域情報取得手段、時期取得手段）７９１を備える情報取得部７９が、判定手段としても機能すると共に、情報取得手段として機能する。
【００５８】
本実施形態では、印刷条件の初期値をユーザーによって設定された過去の印刷条件に基づいた条件とすることにより、複合機１１がユーザーにとって使い勝手のよい装置とされる。このためには、ユーザーによる印刷条件の設定の傾向を、適切に把握する必要がある。そこで、本実施形態では、回数基準値を設け、設定回数が回数基準値未満である場合には、ユーザーによって設定された過去の印刷条件に基づいた印刷条件の初期値の変更が禁止される。つまり、回数基準値は、ユーザーによる印刷条件の設定の傾向を適切に把握するために設けられた判定値である。こうした回数基準値を設けることにより、ユーザーの意図に反して、印刷条件の初期値が不用意に変更されることが回避される。
【００５９】
ここで、時期・国テーブルＴ１及び回数テーブルＴ２について図６及び図７を参照して説明する。
まず始めに、時期・国テーブルＴ１について説明する。
【００６０】
図６に示すように、時期・国テーブルＴ１は、時期及び仕向け国と印刷条件とを対応付けて記憶している。例えば、第１の印刷条件には、時期として「９月〜１１月」が対応付けられると共に、仕向け国として「日本」が対応付けられている。「９月〜１１月」という時期の日本では、運動会が開催されるため、写真印刷がよく利用される。つまり、第１の印刷条件は、写真印刷を行うための印刷条件である。例えば、第１の印刷条件では、用紙サイズが写真（Ｌ判）に、用紙の種類が「インクジェット用」に、縁あり印刷又は縁なし印刷が縁なし印刷に、印刷品質が高詳細モードに、印刷時の色彩がカラーに設定される。
【００６１】
また、第２の印刷条件には、時期として「１０月〜１２月」が対応付けられると共に、仕向け国として「日本」が対応付けられている。「１０月〜１２月」という時期の日本では、年賀状の作成に複合機１１がよく利用される。つまり、第２の印刷条件は、葉書に印刷を行うための印刷条件である。例えば、第２の印刷条件では、用紙サイズが葉書サイズに、用紙の種類が「インクジェット用」に、縁あり印刷又は縁なし印刷が縁あり印刷に、印刷品質が高詳細モードに、印刷時の色彩がカラーに設定される。
【００６２】
また、第３の印刷条件には、時期として「１０月〜１２月」が対応付けられると共に、仕向け国として「米国」が対応付けられている。「１０月〜１２月」という時期の米国では、クリスマスカードの作成に複合機１１がよく利用される。つまり、第３の印刷条件は、写真印刷を行うための印刷条件である。例えば、第３の印刷条件では、用紙サイズが写真（Ｌ判）に、用紙の種類が「インクジェット用」に、縁あり印刷又は縁なし印刷が縁なし印刷に、印刷品質が高詳細モードに、印刷時の色彩がカラーに設定される。
【００６３】
次に、回数テーブルＴ２について説明する。
図７に示すように、回数テーブルＴ２は、各種印刷条件と設定回数とを対応付けて記憶している。例えば、用紙サイズをＡ４サイズにするという印刷条件の設定回数は「１２０回」とされている。これは、ユーザーによる操作部４２の操作によって用紙サイズがＡ４サイズに設定されて印刷された回数が「１２０回」に達したことを示している。また、用紙サイズを葉書サイズにするという印刷条件の設定回数は「３０回」とされると共に、用紙サイズを写真（Ｌ判）サイズにするという印刷条件の設定回数は「１０回」とされ、さらに、用紙サイズを写真（２Ｌ判）サイズにするという印刷条件の設定回数は「０（零）回」とされる。
【００６４】
用紙の種類を普通紙にするという印刷条件の設定回数は「８０回」とされると共に、用紙の種類を厚紙にするという印刷条件の設定回数は「０（零）回」とされる。また、用紙の種類を再生紙にするという印刷条件の設定回数は「１０回」とされると共に、用紙の種類をインクジェット用にするという印刷条件の設定回数は「３０回」とされる。縁あり印刷又は縁なし印刷を縁あり印刷にするという印刷条件の設定回数は「４０回」とされると共に、縁なし印刷にするという印刷条件の設定回数は「１２０回」とされる。印刷品質を高詳細モードにするという印刷条件の設定回数は「２０回」とされると共に、ドラフトモードにするという印刷条件の設定回数は「１１０回」とされる。印刷時の色彩をカラーにするという印刷条件の設定回数は「１６０回」とされると共に、モノクロにするという印刷条件の設定回数は「０（零）回」とされる。
【００６５】
なお、上述した印刷条件毎の設定回数は、ユーザーが印刷条件を変更する毎に適宜変更される値である。
図３に戻り、初期値変更部８０は、回数管理部７９２及び時期・国取得部７９１から印刷条件の初期値を変更させるための情報、即ち変更情報が入力された場合に、初期値記憶部７４に記憶される印刷条件の初期値を変更する。例えば、用紙サイズを葉書サイズとするという印刷条件の設定回数が回数基準値以上になった場合、初期値変更部８０には、回数管理部７９２から、用紙サイズの初期値を葉書サイズに変更させる旨が入力される。すると、初期値変更部８０は、入力された情報（この場合、葉書サイズ）が初期値記憶部７４に記憶される用紙サイズの初期値（この場合、Ａ４サイズ）と一致するか否かを判定し、一致しない場合には用紙サイズの初期値をＡ４サイズから葉書サイズに変更する。
【００６６】
また、時期・国取得部７９１から時期や仕向け国に特有の印刷条件が入力された場合、初期値変更部８０は、その旨を報知制御部８１に出力する。すると、報知制御部８１は、印刷条件の初期値を、時期や仕向け国に特有の印刷条件に変更することに関する諾否をユーザーに選択させる報知処理を行う。すなわち、報知制御部８１は、表示装置４１に、時期・仕向け国又はそれに相当する情報を表示させる。そして、印刷条件の初期値を時期や仕向け国に特有の印刷条件に変更してよい旨がユーザーによる操作部４２の操作によって入力されると、初期値変更部８０は、初期値変更部８０に記憶される各印刷条件の初期値を、時期や仕向け国に特有の各印刷条件に変更する。したがって、本実施形態では、初期値変更部８０が、初期値変更手段として機能する。また、報知制御部８１が、報知制御手段として機能する。
【００６７】
画像データ記憶部８２には、メモリーカードＭＣから入力された画像データ、及びスキャナー部３０から入力された画像データが記憶される。
駆動制御部８３は、印刷を開始させる旨が条件入力受付部７３から入力された場合に、条件記憶部７６に記憶される印刷条件及び画像データ記憶部８２に記憶される画像データに基づき、プリンター部２０を制御する。こうした駆動制御部８３は、動力源制御部８３１及び画像処理部８３２を有している。動力源制御部８３１は、プリンター部２０に設けられる各種モーターを制御する。また、画像処理部８３２は、画像データを印刷データに変換し、記録ヘッド２２１からのインクの吐出態様を制御する。したがって、本実施形態では、駆動制御部８３が、印刷制御手段として機能する。
【００６８】
上述したように、本実施形態では、印刷条件の初期値は、時期及び仕向け国に応じた印刷条件に変更されたり、ユーザーによる印刷条件の過去の設定履歴に基づき変更されたりする。そこで次に、本実施形態のコンピューター６０が実行する各種処理ルーチンのうち、印刷条件の初期値の設定に関する初期値設定処理ルーチンについて図８に示すフローチャートを参照して説明する。
【００６９】
さて、初期値設定処理ルーチンは、複合機１１の電源ボタンがオン操作されてからオフ操作されるまでの間、予め設定された所定周期毎に実行される。まず始めに、コンピューター６０は、複合機１１の電源ボタンがオン操作されて初めて初期値設定処理ルーチンが実行されるか否かを判定する（ステップＳ１０）。初めてである場合（ステップＳ１０：ＹＥＳ）、コンピューター６０は、時刻情報及び国情報を取得する（ステップＳ１１）。この点で、本実施形態では、ステップＳ１１が、印刷条件の初期値を変更するか否かの判定情報として時期及び仕向け国を取得させる情報取得ステップに相当する。続いて、コンピューター６０は、取得した時刻情報が示す時期と国情報が示す仕向け国に対応する印刷条件が時期・国テーブルＴ１にあるか否かを判定する（ステップＳ１２）。この点で、本実施形態では、ステップＳ１２が、取得した時期及び仕向け国が時期条件を満たすか否かを判定させる判定ステップに相当する。
【００７０】
取得した時期及び仕向け国に対応する印刷条件が時期・国テーブルＴ１にない場合（ステップＳ１２：ＮＯ）、コンピューター６０は、その処理を後述するステップＳ１９に移行する。一方、取得した時期及び仕向け国に対応する印刷条件が時期・国テーブルＴ１にある場合（ステップＳ１２：ＹＥＳ）、コンピューター６０は、時期特有の印刷条件がある旨を表示装置４１に表示させる報知処理を行う（ステップＳ１３）。例えば、時期が「１１月」で仕向け国が「日本」である場合、コンピューター６０は、年賀状用の第２の印刷条件、及び運動会用の第１の印刷条件を初期値として設定可能である旨を表示装置４１に表示（報知）させる。そして、コンピューター６０は、表示装置４１に報知させた印刷条件のうち何れか一つの印刷条件が選択されたか否かを判定する（ステップＳ１４）。未だ何れの印刷条件もユーザーに選択されていない場合（ステップＳ１４：ＮＯ）、コンピューター６０は、何れか一つの印刷条件が選択されるまでステップＳ１４の判定処理を繰り返し実行する。
【００７１】
一方、何れか一つの印刷条件が選択された場合（ステップＳ１４：ＹＥＳ）、コンピューター６０は、選択された印刷条件が時期特有の印刷条件（例えば、年賀状用の第１の印刷条件）であるか否かを判定する（ステップＳ１５）。選択された印刷条件が時期特有の印刷条件ではない場合（ステップＳ１５：ＮＯ）、コンピューター６０は、ユーザーが印刷条件の初期値の変更を希望していないと判断し、その処理を後述するステップＳ１９に移行する。一方、選択された印刷条件が時期特有の印刷条件である場合（ステップＳ１５：ＹＥＳ）、コンピューター６０は、変更フラグＦＬＧをオンにセットする（ステップＳ１６）。この変更フラグＦＬＧは、印刷条件の初期値が時期及び仕向け国に応じた印刷条件に設定されたか否かを判断するためのフラグである。なお、変更フラグＦＬＧは、電源ボタンがオンになった直後にラムクリアされると「オフ」にリセットされる。
【００７２】
そして、コンピューター６０は、取得した時期及び仕向け国に対応する印刷条件を時期・国テーブルＴ１から取得する（ステップＳ１７）。そして、コンピューター６０は、印刷条件の初期値をステップＳ１７で取得した印刷条件に変更し（ステップＳ１８）、その処理を後述するステップＳ１９に移行する。したがって、ステップＳ１８が、取得した時期が時期条件を満たすと判定した場合に、当該時期条件に対応する印刷条件に印刷条件の初期値を変更させる初期値変更ステップに相当する。
【００７３】
ステップＳ１９において、コンピューター６０は、印刷条件の初期値を取得し、該初期値を印刷条件に設定する。すなわち、取得した時期及び仕向け国に対応する印刷条件が時期・国テーブルＴ１にある場合には、時期・国テーブルＴ１から取得された印刷条件、即ち取得した時期及び仕向け国に対応する印刷条件が、印刷条件とされる。一方、取得した時期及び仕向け国に対応する印刷条件が時期・国テーブルＴ１にない場合には、電源ボタンがオン操作された時点で初期値記憶部７４に記憶されていた印刷条件の初期値が、印刷条件とされる。その後、コンピューター６０は、初期値設定処理ルーチンを一旦終了する。
【００７４】
その一方で、今回の実行が、電源ボタンがオン操作されてから初めての実行ではない場合（ステップＳ１０：ＮＯ）、コンピューター６０は、変更フラグＦＬＧがオフであるか否かを判定する（ステップＳ２０）。変更フラグＦＬＧがオンである場合（ステップＳ２０：ＮＯ）、コンピューター６０は、印刷条件の初期値が時期特有の印刷条件に設定されているため、初期値設定処理ルーチンを一旦終了する。一方、変更フラグＦＬＧがオフである場合（ステップＳ２０：ＹＥＳ）、コンピューター６０は、印刷条件の初期値が時期特有の印刷条件ではないため、ユーザーによる操作部４２の操作によって印刷条件が変更されたか否かを判定する（ステップＳ２１）。印刷条件が変更されていない場合（ステップＳ２１：ＮＯ）、コンピューター６０は、初期値設定処理ルーチンを一旦終了する。一方、印刷条件が変更された場合（ステップＳ２１：ＹＥＳ）、コンピューター６０は、回数テーブルＴ２に記憶される各設定回数のうち、変更された印刷条件の設定回数を「１」だけインクリメントする（ステップＳ２２）。例えば、用紙サイズが写真（Ｌ判）サイズに設定された場合、コンピューター６０は、写真（Ｌ判）サイズの設定回数を「１０回」から「１１回」に変更する（図７参照）。
【００７５】
続いて、コンピューター６０は、設定回数が回数基準値（例えば１００回）以上となる印刷条件が回数テーブルＴ２にあるか否かを判定する（ステップＳ２３）。したがって、本実施形態では、ステップＳ２３が、過去に設定されたことのある印刷条件の設定回数（判定情報）が回数基準値以上であるという回数条件を満たすか否かを判定させる判定ステップに相当する。設定回数が回数基準値以上となる印刷条件が回数テーブルＴ２にない場合（ステップＳ２３：ＮＯ）、コンピューター６０は、初期値設定処理ルーチンを一旦終了する。
【００７６】
一方、設定回数が回数基準値以上となる印刷条件が回数テーブルＴ２にある場合（ステップＳ２３：ＹＥＳ）、コンピューター６０は、設定回数が回数基準値以上となる印刷条件の内容が印刷条件の初期値の内容と異なるか否かを判定する（ステップＳ２４）。例えば、設定回数が回数基準値以上となる用紙サイズ（印刷条件）がＡ４サイズである場合、コンピューター６０は、現時点で初期値に設定されている用紙サイズがＡ４サイズであるか否かを判定する。そして、設定回数が回数基準値以上となる印刷条件の内容が印刷条件の初期値の内容と同一である場合（ステップＳ２４：ＮＯ）、コンピューター６０は、印刷条件の初期値を変更する必要がないため、初期値設定処理ルーチンを一旦終了する。
【００７７】
一方、設定回数が回数基準値以上となる印刷条件の内容が印刷条件の初期値の内容と異なる場合（ステップＳ２４：ＹＥＳ）である場合、コンピューター６０は、印刷条件の初期値を変更する（ステップＳ２５）。例えば、設定回数が回数基準値以上となる用紙サイズ（印刷条件）がＡ４サイズである場合、コンピューター６０は、用紙サイズの初期値をＡ４サイズとする。したがって、本実施形態では、ステップＳ２５が、初期値変更ステップに相当する。その後、コンピューター６０は、初期値設定処理ルーチンを一旦終了する。
【００７８】
ところで、各種印刷条件の中には、内容を変更することにより、他の印刷条件の内容も変更する印刷条件も存在する。例えば、用紙サイズの初期値を写真（Ｌ判）サイズや写真（２Ｌ判）サイズとした場合、写真印刷が行われる可能性が非常に高い。そのため、印刷品質を高詳細モードとするという印刷条件の設定回数が回数基準値未満であっても、印刷品質の初期値は高詳細モードに変更される。同様に、印刷時の色彩をカラーにするという印刷条件の設定回数が回数基準値未満であっても、印刷時の色彩の初期値はカラーに変更される。また、縁あり印刷又は縁なし印刷かが縁なし印刷とした場合、印刷品質の初期値は高詳細モードに自動的に設定される。
【００７９】
また、仕向け国が「日本」であって、取得される時期が「１２月」である場合、印刷条件の初期値は、葉書印刷用の第２の印刷条件となっている。しかし、取得される時期が「１月」になると、時期・国テーブルＴ１には、取得された時期に特有の印刷条件がないことになる。そのため、時期が「１月」になって初めて複合機１１の電源ボタンがオン操作された場合、印刷条件の初期値は、回数テーブルＴ２に基づき、即ちユーザーの過去の設定履歴に基づいた条件に変更される。ただし、設定回数が回数基準値以上となる印刷条件が回数テーブルＴ２に記憶されていない場合には、複合機１１が出荷された際にイニシャルとして記憶されていた印刷条件が、印刷条件の初期値に設定される。
【００８０】
次に、用紙Ｐに対して印刷を施す際にコンピューター６０に実行される印刷処理ルーチンについて、図９に示すフローチャートを参照して説明する。
さて、印刷処理ルーチンは、コンピューター６０に印刷指令が入力された場合に実行される。そして、印刷処理ルーチンにおいて、コンピューター６０は、条件記憶部７６から各種印刷条件を取得する（ステップＳ３０）。続いて、コンピューター６０は、取得した印刷条件に基づいた印刷処理を行う（ステップＳ３１）。この点で、本実施形態では、ステップＳ３１が、印刷ステップに相当する。そして、印刷処理が完了すると、コンピューター６０は、印刷処理ルーチンを終了する。
【００８１】
上記実施形態によれば、以下のような効果を得ることができる。
（１）印刷条件の初期値を変更するか否かの判定に用いられる判定情報が取得されると、該判定情報が設定条件を満たすか否かが判定される。そして、判定情報が設定条件を満たさないと判定された場合には、初期値記憶部７４で記憶される印刷条件の初期値が変更されない。一方、判定情報が設定条件を満たすと判定された場合には、初期値記憶部７４で記憶される印刷条件の初期値が設定条件に対応する印刷条件に変更される。そのため、印刷を行う前にユーザーが印刷条件を変更しない場合であっても、設定条件に対応する印刷条件に基づき印刷が行われる。したがって、ユーザーによる印刷条件の設定し忘れに起因した印刷ミスを抑制することができる。
【００８２】
（２）取得した時期に特有の印刷条件が時期・国テーブルＴ１にある場合には、印刷条件の初期値が時期特有の印刷条件に変更される。そのため、時期特有の印刷条件を設定した上で印刷を行う予定であるユーザーが印刷条件を変更し忘れた場合であっても、印刷条件の設定し忘れに起因した印刷ミスを抑制することができる。
【００８３】
（３）時期特有の印刷条件は、複合機１１が出荷された仕向け国の生活習慣の関係上、仕向け国毎に異なる可能性がある。例えば、１０月〜１２月において日本では、年賀状を送るという慣習がある関係上、葉書への印刷に複合機１１が利用される可能性が高い。しかし、日本以外の他国では、年賀状を送るという慣習がないため、１０月〜１２月で葉書への印刷に複合機１１が利用される可能性が高くなるとは限らない。そこで、本実施形態の時期・国テーブルＴ１では、複数の印刷条件を、時期及び仕向け国に対応付けて管理している。そして、取得した時期及び仕向け国に対応する印刷条件が時期・国テーブルＴ１にある場合には、印刷条件の初期値を時期特有の印刷条件に変更することが許可される。そのため、時期特有の印刷条件を設定した上で印刷を行う予定であるユーザーが印刷条件を変更し忘れた場合であっても、印刷条件の設定し忘れに起因した印刷ミスを抑制することができる。
【００８４】
（４）取得した時期に対応する印刷条件が時期・国テーブルＴ１にある場合には、その旨が表示装置４１に表示される。このとき、時期に対応する印刷条件が複数ある場合には、何れの印刷条件を印刷条件の初期値にするかの選択をユーザーに促す。そして、ユーザーによって選択された時期に特有の印刷条件が、印刷条件の初期値とされる。すなわち、印刷条件の初期値は、ユーザーの意図に沿った条件とされる。その一方で、時期特有の印刷条件に変更しないとユーザーがした場合には、印刷条件の初期値が時期特有の印刷条件に変更されない。そのため、印刷条件の初期値は、ユーザーが印刷条件の設定を行わなくても、ユーザーの意図に沿った条件となっている確率が高い。そのため、ユーザーによる印刷条件の設定し忘れに起因した印刷ミスを抑制することができる。
【００８５】
（５）ユーザーによる操作部４２の操作によって印刷条件が設定された場合には、その履歴が回数管理部７９２によって保管される。すなわち、回数管理部７９２は、印刷条件の設定回数を印刷条件毎に管理している。そして、印刷条件の初期値は、管理される各印刷条件のうち回数条件を満たした印刷条件に変更される。つまり、印刷条件の初期値は、ユーザーによる印刷条件の過去の設定履歴に基づいた条件とされる。そのため、印刷前に印刷条件を設定しなくても、ユーザーの意図に沿った印刷条件で印刷が行われる確率が高くなる。したがって、ユーザーによる印刷条件の設定し忘れに起因した印刷ミスを抑制することができる。
【００８６】
（６）回数基準値以上の設定回数の印刷条件がある場合には、該印刷条件に、印刷条件の初期値が変更される。回数基準値は、ユーザーによる印刷条件の設定の傾向を適切に把握するために設定された判定値である。こうした回数基準値を設けることにより、ユーザーの意図に反して、印刷条件の初期値が不用意に変更されることを回避することができる。
【００８７】
（７）時期特有の印刷条件に印刷条件の初期値を変更可能な場合には、回数基準値以上の設定回数の印刷条件があっても、印刷条件の初期値が時期特有の印刷条件に変更される。これは、時期特有の印刷条件とは、その時期で最も利用される可能性の高い印刷装置の使い方に対応した条件であるためである。そのため、ユーザーによる印刷条件の設定し忘れに起因した印刷ミスを抑制することができる。
【００８８】
（８）本実施形態では、印刷条件を設定するための画面は２種類用意されており、何れの画面を表示装置４１に表示させるかは、ユーザーによって選択される。つまり、ユーザーは、自身で選択した画面を視認しつつ印刷条件を設定することになる。その結果、ユーザーは、自身によって使いやすい画面を視認しつつ印刷条件を設定することができる。
【００８９】
（９）特に、簡易設定用の画面（図５参照）は、少ない操作回数で、印刷条件の設定を完了させることができる。そのため、複合機１１を使い慣れていないユーザー（特に、年配のユーザー）の場合には印刷条件の設定し忘れや設定ミスを減らすことができ、ひいては印刷ミスの抑制に貢献できる。
【００９０】
なお、上記実施形態は以下のように変更してもよい。
・実施形態において、コンピューター６０で、複合機１１を利用するユーザーを識別可能である場合には、印刷条件の初期値をユーザー毎に設定してもよい。例えば、図１０に示すように、コンピューター６０は、機能部分として、識別手段の一例としてのユーザー識別部１００をさらに備えている。また、初期値記憶部７４は、各ユーザー（例えば、Ａさん、Ｂさん、Ｃさん）の印刷条件の初期値を個別に記憶している。この点で、初期値記憶部７４が、ユーザー毎の印刷条件を管理する識別管理手段としても機能する。そして、ユーザー識別部１００は、何れのユーザー（例えば、Ａさん）が利用しているかを識別できた場合には、Ａさん用の印刷条件の初期値を初期値記憶部７４から取得し、該取得した印刷条件の初期値を条件記憶部７６に記憶させる。この結果、Ａさん用の印刷条件の初期値に基づき印刷が行われる。
【００９１】
なお、ユーザーの識別方法の一例としては以下に示す方法が考えられる。すなわち、印刷条件の初期値が用意されているユーザー若しくはユーザーに相当するサムネイル画像などを表示装置４１に表示させる。そして、ユーザーの選択を、操作部４２の操作によって行わせ、該操作結果に基づき、使用するユーザーを識別させる。
【００９２】
このように構成した場合、複合機１１を使用するユーザーを識別できた場合には、印刷条件が、ユーザー特有の条件に設定される。そのため、ユーザーは、複合機１１を利用する度に、印刷条件を自身の用途に合わせて設定しなくてもよい。したがって、ユーザーによる印刷条件の設定し忘れに起因した印刷ミスを抑制することができる。また、こうした構成は、一台の複合機１１を複数人で利用する場合には、非常に効果的である。
【００９３】
また、この際には、回数テーブルＴ２をユーザー毎に設けてもよい。このように構成すると、例えばＡさんが複合機１１を使用中である場合には、Ａさん用の回数テーブルＴ２を用いて、Ａさん用の印刷条件の初期値を変更するか否かが判断される。
【００９４】
・実施形態において、ホスト装置から送信された画像データに基づいた印刷を複合機１１に行わせてもよい。複合機１１には、図１１に示すように、ネットワークを介して複数のホスト装置ＨＣが接続されている。こうした場合、複合機１１のユーザー識別部１００は、画像データと共にホスト装置ＨＣのプリンタードライバーＰＤから送信されるＩＰアドレスなどによって、画像データがどのホスト装置ＨＣ（即ち、ユーザー）から送信されたのかを識別することができる。もちろん、印刷時にホスト装置ＨＣから送信される情報には、印刷条件に関する情報も含まれている。
【００９５】
また、ユーザー識別部１００は、複合機１１を識別するユーザー（ホスト装置ＨＣ）と共に、送信されてきた印刷条件を取得する。そして、ユーザー識別部１００は、送信されてきた印刷条件と、初期値記憶部７４に記憶されるユーザー（例えば、Ａさん）の印刷条件の初期値とを比較し、異なっている場合には複合機１１に送信した印刷条件とＡさんの印刷条件の初期値との選択を促す制御指令をホスト装置ＨＣに送信する。その後、制御指令の返答として受信した情報に基づき、ユーザー識別部１００は、何れの印刷条件を採用するかを判断し、採用する印刷条件を条件記憶部７６に記憶させる。その後、条件記憶部７６に記憶される印刷条件に基づき印刷が行われる。
【００９６】
このように構成した場合、ホスト装置ＨＣ側でユーザーが印刷条件の設定を間違えた場合、印刷が開始される前に、ユーザーにその間違いを気付かせることができる。そのため、印刷条件の設定ミスに伴う印刷ミスの発生を減少させることができる。
【００９７】
・実施形態において、印刷条件を設定する際に表示装置４１に表示させる画面として、通常設定用の画面のみを用意するようにしてもよい。
・実施形態において、回数基準値を設けなくてもよい。この場合、設定回数の最も多い印刷条件が、印刷条件の初期値とされることになる。
【００９８】
・上記実施形態では、設定回数を印刷条件の種類毎にカウントしている。しかし、用紙サイズ、用紙の種類、縁あり印刷か縁なし印刷か、印刷品質及び印刷時の色彩で、一つの印刷条件としてもよい。すなわち、回数テーブルＴ２は、時期・国テーブルＴ１と同様に、複数の印刷条件とそれらの設定回数を関連付けて記憶してもよい。例えば、第１の印刷条件は、用紙サイズがＡ４サイズ、用紙の種類が普通紙、縁あり印刷か縁なし印刷かが縁あり印刷、印刷品質がドラフトモード、印刷時の色彩がモノクロとされる条件とする。また、第２の印刷条件は、用紙サイズがＡ４サイズ、用紙の種類が普通紙、縁あり印刷か縁なし印刷かが縁なし印刷、印刷品質が高詳細モード、印刷時の色彩がカラーとされる条件とする。
【００９９】
このように回数テーブルＴ２を構成とした場合において、用紙サイズがＡ４サイズ、用紙の種類が普通紙、縁あり印刷か縁なし印刷かが縁あり印刷、印刷品質がドラフトモード、印刷時の色彩がモノクロという印刷条件がユーザーによる操作によって設定されたときには、第１の印刷条件の設定回数が「１」だけインクリメントされる。
【０１００】
・実施形態において、直近の所定回数（例えば１００回）の中で最も多い設定回数の印刷条件に、印刷条件の初期値を設定してもよい。例えば、印刷条件をユーザーが設定した直近の１００回の中で、用紙サイズをＡ４とした回数が２０回で、用紙サイズを葉書サイズとした回数が８０回である場合には、用紙サイズの初期値を葉書サイズとしてもよい。
【０１０１】
・実施形態において、回数テーブルＴ２を、時期毎（例えば、１月毎）に個別に設けてもよい。このように構成すると、印刷条件の初期値を、月毎に自動的に変更させることができる。この場合、時期・国テーブルＴ１を設けなくてもよい。
【０１０２】
・実施形態において、ステップＳ１５の判定結果が否定（即ち、ＮＯ）である場合には、その処理をステップＳ２３に移行させてもよい。
・実施形態において、回数管理部７９２を省略してもよい。この場合、ユーザーによる印刷条件の過去の設定履歴に基づき印刷条件の初期値を変更することができなくなる。しかし、時期・国テーブルＴ１を用いて、取得した時期に特有の印刷条件に、印刷条件の初期値を設定することができる。
【０１０３】
・実施形態において、仕向け国を取得しなくてもよい。この場合、日本に出荷される複合機１１の時期・国テーブルＴ１には、第３の印刷条件を用意しなくてもよい（図６参照）。
【０１０４】
・実施形態において、取得した時期に特有の印刷条件が時期・国テーブルＴ１に一つだけある場合には、時期特有の印刷条件に変更してもよいか否かを選択させるための報知処理を行わなくてもよい。すなわち、取得した時期に特有の印刷条件が時期・国テーブルＴ１に一つだけある場合には、印刷条件の初期値を時期特有の印刷条件に自動的に変更させてもよい。
【０１０５】
・実施形態において、取得した時期に特有の印刷条件が時期・国テーブルＴ１にある場合には、取得した時期に特有の印刷条件を、初期値記憶部に記憶させるのではなく、条件記憶部７６に記憶させてもよい。この場合であっても、ユーザーが印刷条件を一切設定しなくても、取得した時期に特有の印刷条件に基づき印刷が行われる。つまり、ここでいう「印刷条件の初期値」とは、ユーザーが印刷条件を一切設定していない状態で、条件記憶部７６に記憶されている印刷条件のことを示している。
【０１０６】
・実施形態において、上記ステップＳ１３の報知処理は、音声による報知処理であってもよい。もちろん、上記ステップＳ１３の報知処理は、画面による報知と音声による報知とを組み合わせた処理であってもよい。
【０１０７】
・実施形態において、時期・国取得部７９１を省略してもよい。このように構成しても、印刷条件の初期値を、ユーザーによる印刷条件の過去の設定履歴に基づいた印刷条件とすることができる。
【０１０８】
・実施形態において、取得した判定情報に基づき初期値を変更可能な印刷条件は、用紙サイズだけであってもよいし、用紙の種類だけであってもよく、さらに、縁あり印刷か縁なし印刷かだけであってもよい。また、上記印刷条件は、印刷品質だけであってもよいし、印刷時の色彩だけであってもよい。また、上記印刷条件は、用紙サイズ、用紙の種類、縁あり印刷か縁なし印刷か、印刷品質及び印刷時の色彩のうち少なくとも一つであってもよい。例えば、上記印刷条件は、用紙サイズ及び用紙の種類でもよい。
【０１０９】
・実施形態では、印刷装置を、印刷機能とそれ以外の他の機能とを実行可能な複合機に具体化したが、印刷装置を印刷機能しか有しないプリンターに具体化してもよい。
・実施形態において、プリンター部２０は、ドットインパクト方式、レーザー方式などの他の印刷方式で媒体に印刷できる印刷駆動部であってもよい。
【０１１０】
・実施形態において、印刷される媒体は、布や樹脂フィルム、樹脂シート、金属シートなどの任意の媒体であってもよい。
・実施形態において、印刷装置を、インク以外の他の流体を噴射したり吐出したりする流体噴射装置に具体化してもよい。また、印刷装置を、微小量の液滴を吐出させる液体噴射ヘッド等を備える各種の液体噴射装置に具体化してもよい。この場合、液滴とは、上記液体噴射装置から吐出される液体の状態を言い、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散または混合されたものなどを含む。なお、流体は、トナーなどの粉粒体でもよい。また、ここでいう流体には、気体のみからなるものは含まないものとする。
【０１１１】
次に、上記実施形態及び別の実施形態から把握できる技術的思想を以下に追記する。
（イ）前記情報取得手段は、印刷条件を時期毎に対応付けて記憶する条件記憶手段をさらに含み、
前記判定手段は、前記時期取得手段によって取得された時期に対応する印刷条件を前記条件記憶手段が記憶している場合に、当該時期が時期条件を満たすと判定し、
前記初期値変更手段は、前記判定手段によって、前記時期取得手段によって取得された時期が時期条件を満たすと判定された場合に、取得された時期に対応する印刷条件を前記条件記憶手段から取得し、該取得した印刷条件に、前記初期値記憶手段に記憶される印刷条件の初期値を変更することを特徴とする印刷装置。
【０１１２】
（ロ）前記判定手段は、前記回数管理手段によって管理される印刷条件のうち設定回数が前記回数基準値以上となる印刷条件がある場合に、当該設定回数が回数条件を満たすと判定し、
前記初期値変更手段は、前記判定手段によって、前記回数管理手段によって管理される設定回数が前記回数条件を満たすと判定された場合に、該回数条件を満たす印刷条件を前記回数管理手段から取得し、該取得した印刷条件に、前記初期値記憶手段に記憶される印刷条件の初期値を変更することを特徴とする印刷装置。
【０１１３】
（ハ）前記第２画面は、前記表示装置に前記第１画面を表示させた状態で印刷条件を前記印刷条件の初期値から変更させる場合よりも、少ない操作で印刷条件の変更を完了させることが可能な簡易設定用の画面であることを特徴とする印刷装置。
【０１１４】
（ニ）前記情報取得ステップは、判定情報として時期を取得させる時期取得ステップを含み、
前記判定ステップでは、前記時期取得ステップで取得した時期が時期条件を満たすか否かを判定させ、
前記初期値変更ステップでは、前記判定ステップで、前記時期取得ステップで取得した時期が時期条件を満たすと判定した場合に、当該時期条件に対応する印刷条件に、前記初期値記憶手段に記憶される印刷条件の初期値を変更させることを特徴とする印刷方法。
【０１１５】
（ホ）前記情報取得ステップは、ユーザーの設定操作によって印刷条件が入力された場合に、該印刷条件を取得させると共に、該印刷条件の設定回数を計数させる印刷条件取得ステップを含み、
前記判定ステップでは、過去に設定されたことのある印刷条件の設定回数が予め設定された回数基準値以上であるという回数条件を満たすか否かを判定させ、
前記初期値変更ステップでは、前記判定ステップで、前記印刷条件取得ステップで計数した設定回数が前記回数条件を満たすと判定した場合に、当該設定回数に対応する印刷条件に、前記初期値記憶手段に記憶される印刷条件の初期値を変更させることを特徴とする印刷方法。
【符号の説明】
【０１１６】
１１…印刷装置の一例としての複合機、２０…印刷駆動部の一例としてのプリンター部、４１…表示装置、６０…印刷制御部の一例としてのコンピューター、７１…画面記憶手段としての画面記憶部、７２…表示制御手段としての表示制御部、７４…初期値記憶手段、識別管理手段としての初期値記憶部、７９…情報取得手段、判定手段としての情報取得部、７９１…時期取得手段、地域情報取得手段としての時期・国取得部、７９２…回数管理手段としての回数管理部、８０…初期値変更手段としての初期値変更部、８１…報知制御手段としての報知制御部、８３…印刷制御手段としての駆動制御部、１００…識別手段としてのユーザー識別部、ＨＣ…ホスト装置。
【図１】
2012131107.tif 000003
【図２】
2012131107.tif 000004
【図３】
2012131107.tif 000005
【図４】
2012131107.tif 000006
【図５】
2012131107.tif 000007
【図６】
2012131107.tif 000008
【図７】
2012131107.tif 000009
【図８】
2012131107.tif 000010
【図９】
2012131107.tif 000011
【図１０】
2012131107.tif 000012
【図１１】
2012131107.tif 000013